(57)【要約】【課題】プラスチックフィルム等からなる通帳ケースの内部に挿入して使用することにより防磁性ケースとすることができる、通帳等の磁気記録層を外部磁界から保護することのできる防磁性内ケースを提供することである。【解決手段】長方形状の２枚の防磁板を防磁板の一辺を所定間隔をおいて突き合わせて並列に並べた状態で、周縁と中央部に熱接着部を形成して作製した袋に収納し、防磁板を収納した袋を防磁板の突き合わせ部にて２つ折りした構成の防磁性内ケースである。【選択図】　　　　図１
2004059007.tif 000002
【特許請求の範囲】
【請求項１】
長方形状の２枚の防磁板を、前記防磁板の一辺を所定間隔をおいて突き合わせて並列に並べた状態で袋に収納し、前記防磁板を収納した前記袋を前記防磁板の突き合わせ部にて２つ折りした構成からなることを特徴とする防磁性内ケース。
【請求項２】
前記袋が前記防磁板の突き合わせ部にて前記袋の表裏が接着されていることを特徴とする請求項１記載の防磁性内ケース。
【請求項３】
２枚の前記防磁板が１枚の台紙に接着された状態で前記袋に収納されていることを特徴とする請求項１記載の防磁性内ケース。
【請求項４】
前記防磁板が、内部に収納される磁気記録層を有する通帳、磁気カード等と略同一の大きさを有している構成からなることを特徴とする請求項１記載の防磁性内ケース。
【請求項５】
前記防磁板が、内部に収納される通帳、磁気カード等に取り付けられている磁気記録層よりやや大きい大きさを有している構成からなることを特徴とする請求項１記載の防磁性内ケース。
【発明の詳細な説明】
【０００１】
【産業上の利用分野】
本発明は通帳の磁気ストライプ、磁気カード等に書き込まれたデータを外部磁界から保護するための防磁性ケースを作製するために使用される防磁性内ケースに関する。
【０００２】
【従来の技術】
従来、銀行等の自動機にて使用する磁気記録層を有する通帳等の磁気記録層に書き込まれたデータを外部磁界から保護するための防磁性ケースとしては、プラスチックフィルムを２枚重ねて周縁をウエルダー加工にて接着して袋を作製しその中に金属性の防磁板を封入したものが一般的に使用されている。
【０００３】
しかしながら、上記構成の通帳等の防磁性ケースにおいては、プラスチックフィルムを高周波を使用したウエルダー加工により溶着させるものであるため、高周波加工用の電極と金属からなる防磁板との間でスパークを起こしやすく、防磁板の位置決めに高い精度を要するため生産性が悪くコスト高になる、通帳等を表裏二重袋で覆う構成とする場合は４枚のプラスチックフィルムのウエルダー加工が必要となるため、仕上りがきたなくなったり又フィルムが厚い場合は溶着しにくくなる、防磁性通帳ケースの開口部両端の溶着部は通帳、カード等を出し入れする際に擦れて破損しやすく、破損した際には防磁性ケースを丸ごと交換する必要があり運用コストがきわめて高くなる、等の欠点を有していた。
【０００４】
【発明が解決しようとする課題】
本発明は、プラスチックフィルム等からなる外ケースの内部に挿入して使用することにより防磁性ケースとすることができる、通帳等の磁気記録層を外部磁界から保護することのできる防磁性内ケースを提供することである。
【０００５】
【課題を解決するための手段】
長方形状の２枚の防磁板を前記防磁板の一辺を所定間隔をおいて突き合わせて並列に並べた状態で袋に収納し、防磁板を収納した袋を防磁板の突き合わせ部にて２つ折りした構成とすることにより、この防磁性内ケースをプラスチックフィルム等からなる外ケースに挿入することにより、通帳、カード等を収納するための防磁性ケースとすることができる。防磁性ケースに挿入された２つ折りした防磁性内ケースに挟み込むように通帳、カード等を挿入することにより磁気記録層に記録されたデータを外部磁界から保護することができる。
【０００６】
上記の防磁性内ケースにおいて、袋が防磁板の突き合わせ部にて袋の表裏が接着された構成とすることにより、袋の内部に防磁板を収納しやすくなる。
【０００７】
上記の防磁性内ケースにおいて、２枚の防磁板が１枚の台紙に接着された状態で袋に収納されている構成とすることにより、２枚の防磁板を一度に袋内の所定位置に収納できるので防磁性内ケースの製造が容易となる。
【０００８】
上記の防磁性内ケースにおいて、防磁板が内部に収納される磁気記録層を有する通帳、磁気カード等と略同一の大きさを有している構成とすることにより、通帳、磁気カード等の磁気記録層の取り付けられる位置に関係なく磁気記録層に記録されているデータを外部磁界から保護することができる。
【０００９】
上記の防磁性内ケースにおいて、防磁板が内部に収納される通帳、磁気カード等に取り付けられている磁気記録層よりやや大きい大きさを有している構成とすることにより、通帳、磁気カード等の磁気記録層を防磁板で被覆できるので磁気記録層に記録されているデータを外部磁界から保護することができる。また、防磁板を小さくできるので防磁性内ケースを軽くできるとともにコストを削減することができる。
【００１０】
【発明の実施の形態】
以下、図面を引用して本発明の実施の形態を説明する。
図１は本発明の第１実施形態の開いた状態の平面図、図２は図１におけるＩ−Ｉ断面図、図３は本発明の第２実施形態の開いた状態の平面図、図４は図３におけるＩＩ−ＩＩ　断面図、図５は本発明の第３実施形態の図４に対応する断面図、図６は　本発明の第４実施形態の開いた状態の平面図、図７は図６におけるＩＩＩ−ＩＩＩ断面図、図８は本発明の第５実施形態の開いた状態の平面図、図９は実施形態の防磁性内ケースを外ケースに挿入し防磁性内ケース内に通帳を収納する状態を示す斜視図であって、１，　１’，　１”，　１”’　は袋、１１は封緘片、１２は折目、１３，　　１４，　　１５，１６　は接着部、１３’，　　１４’，　　１５’，　　１６’，　　１７’　は熱接着部、２，　　２’，　　３，　　３’は防磁板、４は台紙、５は防磁性内ケース、６は外ケース、７は通帳をそれぞれ表す。
【００１１】
本発明の第１実施形態の平面図は図１に示すとおりであり、横方向の断面図は図２に示すとおりである。第１実施形態において使用される袋１は、紙、紙とプラスチックフィルムからなる材料にて作製された封筒状であって、底辺にて折り曲げられ両側端部に接着部１４，　１５が形成されるとともに左右方向の中央部に接着部１４，　１５に平行な接着部１３が形成されて袋の表裏が接着され、上端に封緘片１１が連接された形状である。袋１の接着部１３と接着部１４間に防磁板２を挿入するとともに接着部１３　と接着部１５　　間に防磁板３を挿入した後、封緘片１１　を折り返して接着部１６　にて接着して密封した状態で、接着部１３　　の個所の折目１２　にて封緘片１１が外側になるように２つ折りされて防磁性内ケースとされる。
【００１２】
第１実施形態の開いた状態の横方向の断面は、図２に示すとおりであり、袋１の両側端部において袋１を構成する表裏いずれか一方の材料が折り曲げられた状態で他方の材料が接着されて接着部１４，　１５が形成されるとともに左右方向の中央部は接着部１３　　により袋の表裏が接着され、接着部１３　と接着部１４　間に防磁板２が、接着部１３　と接着部１５　　間に防磁板３がそれぞれ挿入されている。接着部１３　と接着部１４　と接着部１５　と接着部１６　　はエマルジョンタイプ接着剤又はホットメルトタイプ接着剤を使用して接着される。紙とプラスチックフィルムからなる材料を使用して袋１を作製する場合は、プラスチックフィルムが外面側にくるように作製される。
【００１３】
第２実施形態の開いた状態の平面図は図３に示すとおりであり、横方向の断面図は図４に示すとおりである。第２実施形態において使用される袋１’　は、紙、紙とプラスチックフィルムからなる材料にて作製される封筒状であって、底辺にて折り曲げられ両側端部に接着部１４，　１５　　が形成され、上端に封緘片１１　が連接された形状であり、第１実施形態において使用される袋１と比較して、左右方向の中央部において袋１の表裏が接着されていない点で異なっているものである。上記の構成の袋１’に、防磁板２と防磁板３の長辺を所定間隔をおいて付き合わせた状態で１枚の台紙４に接着されて袋１’　の内部に収納され、封緘片１１　を折り返して接着部１６　により接着して密封された袋１’　を、防磁板２と防磁板３の付き合わせ部にて封緘片１１が外側になるように２つ折りされて防磁性内ケースとされる。防磁板を接着して取り付ける台紙４としては１００〜３００ｇ／ｍ２　　程度の厚さの板紙を使用するのが好ましい。
【００１４】
第３実施形態の図４に対応する開いた状態の横方向の断面図は図５に示すとおりである。第３実施形態において使用される袋１’は第２実施形態において使用される袋１’と同じ構成であり、袋１’の内部に、防磁板２と防磁板３の長辺を所定間隔をおいて突き合わせた状態で台紙４に接着せずにそのまま収納した状態で、封緘片１１を折り返して接着部１６により接着して密封された袋１’を、防磁板２と防磁板３の付き合わせ部にて封緘片１１　が外側になるように２つ折りされて防磁性内ケースとされる。
【００１５】
第４実施形態の開いた状態の平面図は図６に示すとおりであり、横方向の断面図は図７に示すとおりである。第４実施形態において使用される袋１”は、紙とプラスチックフィルム、プラスチックフィルム等からなる材料にて作製された周縁が熱接着された形状である。上記の材料を底辺にて折り曲げ両側端部に接着部１４’，　１５’が形成されるとともに左右方向の中央部に接着部１４’，　１５’に平行な接着部１３’　が形成されて袋の表裏が接着された形状からなる袋１”　の接着部１３’　と接着部１４’　　間に防磁板２を挿入するとともに接着部１３’　と接着部１５’　　間に防磁板３を挿入した後、袋１”　の上端を接着部１６’　にて接着して密封した状態で、接着部１３’の個所の折目１２にて２つ折りされて防磁性内ケースとされる。接着部１３’　と接着部１４’　と接着部１５’　と接着部１６’は熱接着により接着されている。第４実施形態において使用される袋１”は４方が熱接着された袋としてもよい。
【００１６】
第５実施形態の開いた状態の平面図は図８に示すとおりである。第５実施形態において使用される袋１”’は、基本的には第４実施形態において使用される袋１”　と同じ構成であるが、接着部１６’　に平行に接着部１７’　　が形成されている点で異なっている。上記の構成の袋１”’の接着部１３’と接着部１４’と接着部１６’と接着部１７’に囲まれた領域に防磁板２’　を挿入するとともに、接着部１３’　と接着部１５’と接着部１６’　と接着部１７’　に囲まれ領域に防磁板３’を挿入して密封された状態で、接着部１３’の個所の折目１２にて２つ折りされて防磁性内ケースとされる。なお、第５実施形態において使用される袋１”’の接着部１７’より下側の領域を全面にベタシールした構成としてもよい。そうすることにより、袋の防磁板が収納されていない領域の剛性が大きくなるので防磁性内ケースの取り扱いが容易となる。
【００１７】
第５実施形態において使用される防磁板２’と防磁板３’は、防磁性内ケースの内部に収納する通帳や磁気カードに取り付けられる磁気記録層よりやや大きくされており、防磁板２’と防磁板３’の大きさが第１〜第４実施形態にて使用する防磁板２と防磁板３より小さいので、防磁性内ケースの重量を小さくすることができるとともにコストを削減することができる。袋１”’内の防磁板２’及び防磁板３’　の位置は内部に収納する通帳や磁気カードに設けられている磁気記録層に対応するように取り付けられる。第５実施形態において使用される袋１”についても４方が熱接着された袋としてもよい。
【００１８】
実施形態の防磁性内ケースに通帳等を収納する状態は図９に示すとおりであって、防磁性内ケース５をプラスチックフィルム等からなる外ケース６に挿入し、外ケース６に挿入された防磁性内ケース５の内部に挟み込むように通帳７を収納するものである。実施形態の防磁性内ケース５を外ケース６に挿入した防磁性ケースを使用し、防磁性内ケース５の内部に挟み込むように通帳７を収納することにより、通帳７の表裏両面が防磁板を有する防磁性内ケース５にて被覆されるので、通帳７の磁気記録層に書き込まれたデータを外部磁界の影響を受けないように保護することができる。
【００１９】
本発明の防磁性ケースをプラスチックフィルム等からなる外ケースに挿入した防磁性ケースを使用することにより、通帳、カード等の磁気記録層に書き込まれたデータを外部磁界から保護できるとともに、通帳、カード等を防磁性ケースから出し入れすることにより外ケースが傷んで使用できなくなった場合、従来の防磁性ケースのように新しいものに取り替える必要がなく、外ケースのみを取り替えるだけで防磁性ケースを再度利用できるので、防磁性ケースを運用する上でのコストダウンを図ることができる。
【００２０】
防磁板としては、軟鉄、珪素鋼板、パーマロイ、Ｎｉ鋼、アモルファス合金等からなる厚さ０．２〜０．３ｍｍの薄板を使用することができるが、パーマロイ、アモルファス合金等の比重の小さいものを使用するのが好ましい。防磁板２、３の大きさは、内部に収納される通帳、カード等と略同一サイズのものが使用される。そうすることにより、防磁板が通帳、カード等の全面に対向するようになるので、磁気データの書き込まれる位置に関係なく磁気記録層に書き込まれたデータを外部磁界から保護することができる。また、防磁板２’，　　３’　の大きさは、内部に収納される通帳、カード等に取り付けられている磁気記録層よりやや大きくされている。そうすることにより、防磁板が通帳、カード等の磁気記録層の全面に対向するようになるので、磁気記録層に書き込まれたデータを外部磁界から保護することができる。
【００２１】
防磁性内ケースに使用される袋の材料としては、紙、樹脂コート紙、紙とプラスチックフィルムの積層体、プラスチックフィルム、プラスチックフィルムの積層体等が使用できる。第１〜第３実施形態にて使用する袋の場合は、樹脂含浸紙、表面にプラスチック層を形成した紙、表面にプラスチックフィルムを積層した紙等を使用し接着剤により接着して袋が作製される。接着剤としてはホットメルトタイプの接着剤をしようするのが好ましい。第４〜第５実施実施形態にて使用する袋の場合は、プラスチックフィルム、プラスチックフィルムの積層体等からなる袋が使用される。プラスチックフィルムとしては、２軸延伸ポリエチレンテレフタレート、２軸延伸ナイロン、ポリエチレン、ポリプロピレン等を使用することができる。ヒートシールによる熱接着により袋が作製される。
【００２２】
防磁性内ケースを挿入する外ケースを作製するプラスチックシートとしては、柔軟性の優れた軟質の塩化ビニルシート、ポリオレフィン系樹脂からなる発泡シート、ポリエステル樹脂からなる発泡シート等が使用される。上記のシートを２つ折りして周縁部を高周波を使用したウエルダー加工により溶着させることにより袋状の外ケースとされるものである。
【００２３】
【発明の効果】
長方形状の２枚の防磁板を防磁板の一辺を所定間隔をおいて突き合わせて並列に並べた状態で袋に収納し、防磁板を収納した袋を防磁板の突き合わせ部にて２つ折りした構成とすることにより、この防磁性内ケースをプラスチックフィルム等からなる外ケースに挿入することにより、通帳、カード等を収納するための防磁性ケースとすることができる。防磁性ケースに挿入された２つ折りした防磁性内ケースに挟み込むように通帳、カード等を挿入することにより磁気記録層に記録されたデータを外部磁界から保護することができる。
【００２４】
防磁板が防磁性内ケース内に収納される磁気記録層を有する通帳、磁気カード等と略同一の大きさを有している構成とすることにより、通帳、磁気カード等の磁気記録層に記録されるデータの位置に関係なく磁気記録層に記録されているデータを外部磁界から保護することができる。
【００２５】
防磁板が防磁性内ケース内に収納される通帳、磁気カード等に取り付けられている磁気記録層よりやや大きい大きさを有している構成とすることにより、通帳、磁気カード等の磁気記録層を防磁板で被覆できるので磁気記録層に記録されているデータを外部磁界から保護することができる。また、防磁板を小さくできるので防磁性内ケースを軽くできるとともにコストを削減することができる。
【図面の簡単な説明】
【図１】本発明の第１実施形態の開いた状態の平面図。
【図２】図１におけるＩ−Ｉ断面図。
【図３】本発明の第２実施形態の開いた状態の平面図。
【図４】図３におけるＩＩ−ＩＩ断面図。
【図５】本発明の第３実施形態の図４に対応する断面図。
【図６】本発明の第４実施形態の開いた状態の平面図。
【図７】図６におけるＩＩＩ−ＩＩＩ断面図。
【図８】本発明の第５実施形態の開いた状態の平面図。
【図９】実施形態の防磁性内ケースを外ケースに挿入し防磁性内ケース内に通帳を収納する状態を示す斜視図。
【符号の説明】
１，　１’，　１”，　１”’　袋
１１　封緘片
１２　折目
１３，　　１４，　　１５，　　１６　　接着部
１３’，　　１４’，　　１５’，　　１６’，　　１７’　　熱接着部
２，　３，　２’，　３’　　　防磁板
４　台紙
５　防磁性内ケース
６　外ケース
７　通帳
【図１】
2004059007.tif 000003
【図２】
2004059007.tif 000004
【図３】
2004059007.tif 000005
【図４】
2004059007.tif 000006
【図５】
2004059007.tif 000007
【図６】
2004059007.tif 000008
【図７】
2004059007.tif 000009
【図８】
2004059007.tif 000010
【図９】
2004059007.tif 000011